(57)【要約】【課題】  常に最適な音量で相手側の音声がスピーカから出力することを可能にする。【解決手段】  着信時にハンドセットがオフフックされると通話が開始され（Ｓ１、Ｓ２ステップ）、レベル検出部が検出した通話相手の音量レベルが大であるとアンプゲインが小となり（Ｓ３、Ｓ４ステップ）、レベル検出部が検出した通話相手の音量レベルが中であるとアンプゲインが中となり（Ｓ５、Ｓ６ステップ）、レベル検出部が検出した通話相手の音量レベルが小であるとアンプゲインが大となる（Ｓ５、Ｓ７ステップ）。【選択図】  図２
2009232232.tif 000002
【特許請求の範囲】
【請求項１】
通話相手の音声信号レベルを検出するレベル検出部と、スピーカと、当該スピーカと接続され前記通話相手の音声信号を増幅する増幅器と、制御部とを有し、
上記制御部は、前記レベル検出部が検出した前記通話相手の音声信号レベルに応じて、前記増幅器の増幅度を変更することを特徴とする通信装置。
【請求項２】
通話相手の音声信号レベルを検出するレベル検出部と、スピーカと、当該スピーカと接続され前記通話相手の音声信号を増幅する増幅器と、制御部とを有し、
上記制御部は、前記レベル検出部が検出した前記通話相手の音声信号レベルが予め定められたレベル以上であれば、前記増幅器の増幅度を下げ、前記レベル検出部が検出した前記通話相手の音声信号レベルが予め定められたレベル未満であれば、前記増幅器の増幅度を上げることを特徴とする通信装置。
【請求項３】
通話相手の音声信号レベルを検出するレベル検出部と、スピーカと、当該スピーカと接続され前記通話相手の音声信号を増幅する増幅器と、前記通話相手の音声信号レベルと前記増幅器との対応関係を記憶する記憶部と、制御部とを有し、
前記記憶部に記憶されている前記通話相手の音声信号レベルは、高いレベルから低いレベルに順に第１のレベル、第２のレベル、第３のレベルの３段階で格納され、
上記制御部は、前記レベル検出部が前記通話相手の音声信号レベルを検出した際に、当該検出した音声レベルが前記記憶部に記憶されている第１のレベルと判定すると、前記増幅器の増幅度を下げ、前記第２のレベルと判定すると前記増幅器の増幅度を変えず、前記第３のレベルと判定すると、前記増幅器の増幅度を上げるように制御することを特徴とする通信装置。
【発明の詳細な説明】
【技術分野】
【０００１】
本発明は、通話中において、自動的にスピーカから出力する音量を調節する機能を備えた通信装置に関する。
【背景技術】
【０００２】
現在市販されている通信装置（例えば、留守番電話やコードレス電話等の電話装置）の多くには、通話中の受話音量を調整するための受話音量ボタンが搭載されている。ユーザは通話中にこの受話音量ボタンを操作することにより、所望の音量で相手側の声を聴くことが可能である。
【０００３】
しかしながら、このような従来の通信装置では、ユーザが一々受話音量ボタンを操作する必要がある。
【０００４】
このような課題を解決するために、特許文献１では、ユーザが受話音量ボタンを操作せずとも自動的に受話音量を調整する技術が提案されている。具体的には、特許文献１に記載の技術は、予め相手側の電話番号と通話音量制御データを対応付けてメモリに記憶し、メモリに記憶された相手先（電話番号）からの着信があれば、その電話番号に対応する通話音量で通話を行う技術である。
【特許文献１】特開平１１−１１２６１４号公報
【発明の開示】
【発明が解決しようとする課題】
【０００５】
しかしながら、同一の発呼側からの着信であっても、発呼側の周囲の環境に応じて発呼側が発する声の音量も変化する。例えば、近所で工事を行っている場合や、テレビの音や子供の声がうるさい場合等には、自然に発呼側の発する声の音量も大きくなる。この為、特許文献１に記載の技術では、通話を行う際には予め相手先に対応付けて設定された音量で発呼側の音声をスピーカから出力する構成となっているが、相手先が大声で話しかければ受話側の音量も大きくなり、必ず一定の音量でスピーカから発呼側の音声を出力することはできない。
【課題を解決するための手段】
【０００６】
上記課題を解決するため、本願発明の請求項１の通信装置は、通話相手の音声信号レベルを検出するレベル検出部と、スピーカと、当該スピーカと接続され前記通話相手の音声信号を増幅する増幅器と、制御部とを有し、上記制御部は、前記レベル検出部が検出した前記通話相手の音声信号レベルに応じて、前記増幅器の増幅度を変更することを特徴とする。
【０００７】
本願発明の請求項２の通信装置は、通話相手の音声信号レベルを検出するレベル検出部と、スピーカと、当該スピーカと接続され前記通話相手の音声信号を増幅する増幅器と、制御部とを有し、上記制御部は、前記レベル検出部が検出した前記通話相手の音声信号レベルが予め定められたレベル以上であれば、前記増幅器の増幅度を下げ、前記レベル検出部が検出した前記通話相手の音声信号レベルが予め定められたレベル未満であれば、前記増幅器の増幅度を上げることを特徴とする。
【０００８】
本願発明の請求項３の通信装置は、通話相手の音声信号レベルを検出するレベル検出部と、スピーカと、当該スピーカと接続され前記通話相手の音声信号を増幅する増幅器と、前記通話相手の音声信号レベルと前記増幅器との対応関係を記憶する記憶部と、制御部とを有し、前記記憶部に記憶されている前記通話相手の音声信号レベルは、高いレベルから低いレベルに順に第１のレベル、第２のレベル、第３のレベルの３段階で格納され、上記制御部は、前記レベル検出部が前記通話相手の音声信号レベルを検出した際に、当該検出した音声レベルが前記記憶部に記憶されている第１のレベルと判定すると、前記増幅器の増幅度を下げ、前記第２のレベルと判定すると前記増幅器の増幅度を変えず、前記第３のレベルと判定すると、前記増幅器の増幅度を上げるように制御することを特徴とする。
【発明の効果】
【０００９】
本発明である通信装置は、通話相手の声の大きさに係らず、一定の音量でスピーカから通話相手の音声を出力することが可能である。
【００１０】
請求項１記載の通信装置は、レベル検出部が通話相手の音声信号レベルを検出し、この検出結果に応じて、増幅器のゲインを変える為、最適な音量でスピーカから通話相手の音声を出力することが可能である。
【００１１】
請求項２記載の通信装置は、レベル検出部が検出した通話相手の音声信号レベルが予め定められたレベル以上であれば増幅器の増幅度を下げ、レベル検出部が検出した通話相手の音声信号レベルが予め定められたレベル未満であれば増幅器の増幅度を上げる為、最適な音量でスピーカから通話相手の音声を出力することが可能である。
【００１２】
請求項３記載の通信装置は、レベル検出部が通話相手の音声信号レベルを検出した際に、当該検出した音声レベルが記憶部に記憶されている第１のレベルと判定すると、増幅器の増幅度を下げ、第２のレベルと判定すると増幅器の増幅度を変えず、第３のレベルと判定すると、増幅器の増幅度を上げる為、最適な音量でスピーカから通話相手の音声を出力することが可能である。
【発明を実施するための最良の形態】
【００１３】
図１は、本発明を適用してなる実施例装置である通信装置（例えば留守番電話装置）のブロック図である。
【００１４】
制御部１０は、装置内部の各回路の制御を司る。
【００１５】
ＲＯＭ（Ｒｅａｄ  Ｏｎｌｙ  Ｍｅｍｏｒｙ）１１には、制御部１０を動作させる為の制御プログラム等が格納される。また、本実施例では、レベル検出部１１０が検出する通話相手の音声信号レベルを３段階で格納している（例えば、入力レベルが１００ｍＶ（平均値）以上（または、より上）、１００〜３０ｍＶ（平均値）、３０ｍＶ（平均値）以下（または未満））。又、この３段階のレベル夫々に対応付けて可変アンプ２３０の増幅率も格納している。なお、ここでの平均値は、回線Ｌを介して入力された音声信号のレベルが、レベル検出部で検出されてからの所定時間（５秒間）に測定（６回）された音量信号のレベルのうち最大レベルと最小レベルを取り除いた部分で平均を採った値である。
【００１６】
フック検出部１２は、後述するハンドセット２００のオンフック／オフフックを検出する。
【００１７】
回線制御部１３は、回線Ｌと接続されており、極性反転検出機能や発呼側の電話番号データの受信機能や回線の閉結、開放の機能等を有する。
【００１８】
表示部１４は、例えばＬＣＤ（Ｌｉｑｕｉｄ  Ｃｒｙｓｔａｌ  Ｄｉｓｐｌａｙ）からなり、電話番号や相手側の氏名、通話時間等を表示可能である。
【００１９】
入力部１５は、テンキー、通話キー、切キー等の各種キーからなる。
【００２０】
音声処理部１００は、例えばＤＳＰ（Ｄｉｇｉｔａｌ  Ｓｉｇｎａｌ  Ｐｒｏｃｅｓｓｏｒ）からなり、回線Ｌから受信した音声信号をハンドセット２００に送出する機能や、ハンドセット２００から入力した音声信号を回線Ｌに送出する機能や、回線Ｌやハンドセット２００から入力したアナログ信号をデジタル信号に変換して後述するフラッシュメモリ１２０へ格納することが可能である。又フラッシュメモリ１２０に格納している音声のデジタル信号をアナログ信号に変換してハンドセット２００や回線Ｌへ出力する機能も有する。
【００２１】
又、音声処理部１００には、レベル検出部１１０が内蔵されており、回線Ｌから入力した相手側の音声信号のレベルを検出する。
【００２２】
フラッシュメモリ１２０は、通話中の会話内容を記録が可能であり、更に用件メッセージや応答メッセージを録音出来る。
【００２３】
ハンドセット２００は、スピーカ２１０とマイク２２０を有し、マイク２２０から入力された音声信号はアンプ２４０で増幅された後に音声処理部１００へ入力される。一方、音声処理部１００からの音声信号は可変アンプ２３０で増幅された後にスピーカ２１０から出力される。又、本実施例では、可変アンプ２３０は制御部１０の制御信号の下で増幅率を変えることができる。本実施例装置では、レベル検出部１１０で検出された発呼側の音声信号レベルに応じて、制御部１０が、可変アンプ２３０を制御することにより、スピーカ２１０から出力される音声レベルを一定に保つことが可能である。
【００２４】
次に、本実施例装置の動作を図２のフロー図に基づいて説明する。まずＳ１ステップにて、制御部１０は、回線Ｌから着信信号を検出していることを示す信号を回線制御部１３から入力している際にフック検出部１２からハンドセット２００がオフフックされたことを示す信号を検出すると、Ｓ２ステップへ処理を進める。
【００２５】
Ｓ２ステップでは、制御部１０は、回線制御部１３を制御することにより回線を閉結させ、回線Ｌ、回線制御部１３、音声処理部１００、ハンドセット２００との間で通話路を形成する。
【００２６】
続くＳ３ステップでは、制御部１０は、レベル検出部１１０から予め設定されたレベル（例えば、１００ｍＶ（平均値））以上の信号を検出したことを示す信号を検出すると、Ｓ４ステップへ処理を進め、そうでなければ、Ｓ５ステップへ処理を進める。
【００２７】
Ｓ４ステップでは、制御部１０は、可変アンプ２３０を制御することにより可変アンプ２３０の増幅率を小さくし、可変アンプ２３０からの出力を一定のレベル（例えば、８０ｍＶ（平均値））にする。
【００２８】
Ｓ５ステップでは、制御部１０は、レベル検出部１１０から予め設定されたレベル（例えば、３０ｍＶ〜１００ｍＶ（平均値））の信号を検出したことを示す信号を検出すると、Ｓ６ステップへ処理を進め、そうでなければ、Ｓ７ステップへ処理を進める。
【００２９】
Ｓ６ステップでは、制御部１０は、可変アンプ２３０を制御することにより可変アンプ２３０の増幅率を中間の値にして、可変アンプ２３０からの出力を一定のレベル（例えば、８０ｍＶ（平均値））にする。
【００３０】
Ｓ７ステップでは、制御部１０は、可変アンプ２３０を制御することにより可変アンプ２３０の増幅率を大きくし、可変アンプ２３０からの出力を一定のレベル（例えば、８０ｍＶ（平均値））にする。
【００３１】
Ｓ８ステップでは、制御部１０は、フック検出部１２からハンドセット２００がオンフックとなったことを示す信号を検出するとＳ９ステップへ処理を進め、そうでなければ、Ｓ２ステップへ処理を戻す。
【００３２】
Ｓ９ステップでは、制御部１０は、回線制御部１３を制御することにより回線Ｌを断とする。
【００３３】
尚、本実施例では、ハンドセット２００のスピーカ２１０から出力する音声レベルを一定にする構成としたが、拡声受話機能を有する電話装置のスピーカから出力する音声レベルを一定にする構成としても良い。
【００３４】
以上、本実施例装置では、レベル検出部１１０が検出した通話相手の音声信号レベルに応じて可変アンプ２３０の増幅度を自動的に変えているため、ユーザは、通話相手の声の大きさの大小を問わず、常に一定な音量で聴き取ることができる。また通話中の受話音量を調節する必要もなくなり、快適な通話環境を実現可能となる。
【図面の簡単な説明】
【００３５】
【図１】本実施例の電話機１のブロック図である。
【図２】本実施例の電話機１の動作を示すフローチャートである。
【符号の説明】
【００３６】
１        電話機
１０      制御部
１１      ＲＯＭ
１２      フック検出部
１３      回路制御部
１４      表示部
１５      入力部
１００    音声処理部
１１０    レベル検出部
１２０    フラッシュメモリ
２００    ハンドセット
２１０    スピーカ
２２０    マイク
２３０    可変アンプ
２４０    アンプ
【図１】
2009232232.tif 000003
【図２】
2009232232.tif 000004